(57)【要約】ボビン（３０２）とボビン（３０２）を囲むコイルとを備える誘導コイル（３００）が開示される。ボビン（３０２）を囲むコイルは、ボビン（３０２）の第１の部分にわたって延びるコイルの少なくとも１つの層を画定する。コイルの少なくとも１つの他の層はボビン（３０２）の第１の部分未満にわたって延びる。ボビン（３０２）を含むコイルセンサを構成する方法は、ボビン（３０２）上の第１の位置から開始して、ボビン（３０２）をコイルで囲み、それによってボビン（３０２）の第１の部分にわたって延びるコイルの少なくとも１つの層を画定するステップを含み、コイルの少なくとも１つの他の層がボビン（３０２）の第１の部分未満のボビン（３０２）の第２の部分にわたって延びる。【選択図】図７
2004511095.tif 000002
【特許請求の範囲】
【請求項１】
ボビン（３０２）と、
ボビン（３０２）を囲み、それによってボビン（３０２）の第１の部分にわたって延びるコイルの少なくとも１つの層を画定するコイル（３０６）と、
を備え、
コイル（３０６）の少なくとも１つの他の層がボビン（３０２）の第１の部分未満のボビン（３０２）の第２の部分にわたって延びる、
誘導コイル要素（３００）。
【請求項２】
前記ボビン（３０２）は非磁性材料を備える、請求項１に記載の誘導コイル要素（３００）。
【請求項３】
前記ボビン（３０２）は、磁気コア（４００）をその中に受容する空洞（３０４）を画定する、請求項１に記載の誘導コイル要素（３００）。
【請求項４】
前記コイル（３０６）はワイヤを備える、請求項１に記載の誘導コイル要素（３００）。
【請求項５】
前記空洞（３０４）はエアコアを備える、請求項１に記載の誘導コイル要素（３００）。
【請求項６】
前記ボビン（３０２）の第１の部分はボビン（３０２）の範囲にわたって延びる、請求項１に記載の誘導コイル要素（３００）。
【請求項７】
前記コイル（３０６）の第２の層はボビン（３０２）の範囲にわたって延びる、請求項６に記載の誘導コイル要素（３００）。
【請求項８】
ボビン（３０２）内に画定された空洞（３０４）内の磁気コア（４００）の位置に対する、ボビン（３０２）を含む誘導コイル要素（３００）の実効インダクタンスの変化を線形化する方法であって、
ボビン（３０２）をコイル（３０６）で囲むステップであって、それによってボビン（３０２）の第１の部分にわたって延びるコイルの少なくとも１つの層を画定する、該ステップを含み、コイルの少なくとも１つの他の層がボビン（３０２）の第１の部分未満にわたって延びる、
誘導コイル要素の実効インダクタンスの変化を線形化する方法。
【請求項９】
前記ボビン（３０２）をコイルで囲むステップは、ボビン（３０２）をワイヤ（３０６）で囲むステップを含む、請求項８に記載の方法。
【請求項１０】
ボビン（３０２）上の第１の位置（３０８）から開始して、ボビン（３０２）をコイル（３０６）で囲み、それによってボビン（３０２）の第１の部分にわたって延びるコイルの少なくとも１つの層を画定するステップを含み、
コイルの少なくとも１つの他の層がボビン（３０２）の第１の部分未満のボビン（３０２）の第２の部分にわたって延びる、
ボビン（３０２）を備える誘導コイル要素（３００）を構成する方法。
【請求項１１】
前記ボビン（３０２）をコイル（３０６）で囲むステップは、ボビン（３０２）をワイヤで囲むステップを含む、請求項１０に記載の方法。
【請求項１２】
前記ボビン（３０２）をコイルで囲むステップは、ボビン（３０２）をコイル（３０６）で第１のピッチで囲むステップを含む、請求項１０に記載の方法。
【請求項１３】
さらに、
前記ボビン（３０２）上の第２の位置でボビン（３０２）を第１のピッチで囲むステップを終わらせるステップと、
ボビン（３０２）を第２のピッチで囲むステップとを含む、請求項１２に記載の方法。
【請求項１４】
前記ボビン（３０２）を囲むステップは、ボビン（３０２）上の第２の位置（３１２）から開始して、ボビン（３０２）をコイル（３０６）で囲み、それによってボビン（３０２）の第１の部分にわたって延びるコイルの少なくとも１つの層を画定するステップを含み、
コイルの少なくとも１つの他の層がボビン（３０２）の第１の部分未満のボビン（３０２）の第２の部分にわたって延びる、請求項１３に記載の方法。
【請求項１５】
容器中の流体にリンクされたコアをその中に受容する空洞（３０４）を有するボビン（３０２）と、ボビン（３０２）を囲み、それによってボビン（３０２）の第１の部分にわたって延びるコイル（３０６）の少なくとも１つの層を画定するコイル（３０６）とを含む誘導コイル要素（３００）を備える流体レベルセンサであって、
コイル（３０６）の少なくとも１つの他の層がボビン（３０２）の第１の部分未満のボビン（３０２）の第２の部分にわたって延び、
誘導コイル要素（３００）に接続され、誘導コイル要素（３００）を交互に充電および放電し、それによって容器中の流体のレベルを示す信号を発生するための手段を含む回路と、
を備える流体レベルセンサ。
【請求項１６】
前記ボビン（３０２）は非磁性材料を備える請求項１５に記載の誘導コイル要素（３００）。
【請求項１７】
前記ボビン（３０２）は、磁気コア（４００）をその中に受容する空洞（３０４）を画定する、請求項１５に記載の誘導コイル要素（３００）。
【請求項１８】
前記コイル（３０６）はワイヤを備える、請求項１５に記載の誘導コイル要素（３００）。
【請求項１９】
前記空洞（３０４）はエアコアを備える、請求項１５に記載の誘導コイル要素（３００）。
【請求項２０】
前記ボビン（３０２）の第１の部分はボビン（３０２）の範囲にわたって延びる、請求項１５に記載の誘導コイル要素（３００）。
【請求項２１】
前記コイル（３０６）の第２の層はボビン（３０２）の範囲にわたって延びる、請求項２０に記載の誘導コイル要素（３００）。
【請求項２２】
ボビン（３０２）と、
ボビン（３０２）を囲み、それによってボビン（３０２）の第１の部分にわたって延びるコイルの少なくとも１つの層を画定するコイル（３０６）と、
を備え、
コイルの少なくとも１つの他の層が第１の層の上に重なり、ボビン（３０２）の第１の部分未満のボビン（３０２）の第２の部分にわたって延び、
コイル（３０６）の少なくとも１つの層とコイル（３０６）の少なくとも１つの他の層とがそれの共通の少なくとも１つの境界を含む、
誘導コイル要素（３００）。
【請求項２３】
前記ボビン（３０２）は非磁性材料を備える、請求項２２に記載の誘導コイル要素（３００）。
【請求項２４】
前記ボビン（３０２）は、磁気コア（４００）をその中に受容する空洞（３０４）を画定する、請求項２２に記載の誘導コイル要素（３００）。
【請求項２５】
前記コイルはワイヤを備える、請求項２２に記載の誘導コイル要素（３００）。
【請求項２６】
前記空洞（３０４）はエアコアを備える、請求項２２に記載の誘導コイル要素（３００）。
【請求項２７】
前記ボビン（３０２）の第１の部分はボビン（３０２）の範囲にわたって延びる、請求項２２に記載の誘導コイル要素（３００）。
【請求項２８】
前記コイルの第２の層はボビン（３０２）の範囲にわたって延びる、請求項２７に記載の誘導コイル要素（３００）。
【請求項２９】
前記コイルの少なくとも１つの他の層は第１の層の上に重なる、請求項１に記載の誘導コイル要素（３００）。
【請求項３０】
前記コイルの少なくとも１つの層と前記コイルの少なくとも１つの他の層とはそれの共通の少なくとも１つの境界を含む、請求項１に記載の誘導コイル要素（３００）。
【請求項３１】
前記コイル（３０６）の少なくとも１つの他の層はコイルの第１の層の上に重なり、前記コイルの少なくとも１つの層と前記コイルの少なくとも１つの他の層とはそれの共通の少なくとも１つの境界を含む、請求項１０に記載の方法。
【発明の詳細な説明】
【０００１】
関連出願
本出願は、参照により本明細書に組み込まれる２０００年１０月５日出願の米国仮特許出願第６０／２３８１８０号の利益を主張するものである。
技術分野
本開示は、流体レベルセンサに関し、詳細には、いくつかの千鳥状巻線をその中に有する誘導コイルに関する。
背景
現在の自動車燃料レベルセンサは可変抵抗器またはポテンシオメータをつくり出すためのセラミック基板上の抵抗性インクから構成される。浮上装置およびフロートアームが、抵抗性インクに沿って乗る電気接点を有するワイパに取り付けられる。回路の抵抗値は、接点が抵抗性インクに沿って動く際に変化し、燃料レベルを示す。
【０００２】
しかしながら、回路の抵抗値はインクと接点との境界面における酸化のために増大することがある。酸化の可能性はインク組成、接点組成、接点負荷力、接点幾何形状、接点の両端間の電位、燃料組成、温度および含水量を含むファクタの組合せによって決まる。
【０００３】
将来の燃料調合物の不確実性およびそれらが酸化形成に及ぼす影響のために、長期耐久性を有する接点なし燃料レベルセンサを提供することが望ましい。
発明の概要
本開示では、自動車燃料タンク中の燃料レベルを測定するために誘導コイルを利用する。回路を駆動するための電子回路は燃料タンクの外側にある。これにより巻上げプロセスが簡単化されるが、コイル内の磁気コアの位置が変化した際に誘導センサのインダクタンスに非線形変化が生じる。燃料タンク内のセンサに必要とされる空間を最小化するために弧状コイルが利用される。しかしながら、本発明は直線コイルに同様に適用されるであろう。千鳥状（スタッガ）コイル設計を使用することによって、コイル内のコア位置が変化した際のコイルセンサのインダクタンスの変化を線形化することができる。これにより、信号を実際に使用するために線形化するための信号処理が不要となるので実効インダクタンスを読み取る回路を簡単化することが可能になる。千鳥状コイルはより多くの巻線を使用し、コアが最初にコイルに入り、それによってコイルセンサの実効インダクタンスを増大させ、実効インダクタンスが非線形になる挿入距離を小さくすることができる。これにはコイルの全長を短縮するという追加の利益がある。約１４０度の全行程で、約８０度の線形出力が望ましい出力である。
【０００４】
ボビンとボビンを囲むコイルとを備える誘導コイルが開示される。ボビンを囲むコイルは、ボビンの第１の部分にわたって延びるコイルの少なくとも１つの層を画定する。コイルの少なくとも１つの他の層はボビンの第１の部分未満にわたって延びる。ボビンを備えるコイルセンサを構成する方法は、ボビン上の第１の位置から開始して、ボビンをコイルで囲み、それによってボビンの第１の部分にわたって延びるコイルの少なくとも１つの層を画定することを含み、コイルの少なくとも１つの他の層がボビンの第１の部分未満のボビンの第２の部分にわたって延びる。
発明の簡単な説明
図１を参照すると、コイルセンサが全体的に１００で示されている。誘導コイル３００は、磁気コア４００が誘導コイル３００の内側の弧４０２に沿って動く際に得られるコイルセンサ１００の実効インダクタンスを測定することによって容器中の燃料レベルを決定するために使用される。コア４００が誘導コイル３００中にさらに挿入されるほど実効インダクタンスは大きくなる。この実効インダクタンスを測定することによって、誘導コイル３００内のコア４００の相対位置を決定することができる。コア４００は、１つの軸における浮上装置の位置を決定するためにフロートアーム４０４を介して浮上装置（図示せず）に機械的に接続される。燃料中に浮上装置をもつフロートアーム４０４は誘導コイル３００の内側を通じてコア４００を作動させる。燃料のレベルが増大すると、コア４００は誘導コイル３００中にさらに動き、実効インダクタンスを増加させ、燃料レベルが減少すると、コア４００は誘導コイル３００外にさらに動き、実効インダクタンスを減少させる。
【０００５】
図３に、誘導コイル３００を駆動するため、および実効インダクタンスを測定するために使用される燃料制御ユニット中の回路を示す。コイルセンサ１００は電子回路から遠隔に位置し、配線ハーネスによってそれに接続される。実効インダクタンスは、直列抵抗器１１０を介して方形波をもつ電圧源を切り替えることによって誘導コイル３００を最初に励起することによって決定される。次いで誘導コイル３００はこれに応答して電流を制限し、図２に示されるものと同様の電圧波形２０４、２０６、２０８をつくり出す。電圧波形の曲線２０４、２０６の下の領域は誘導コイル３００を充電することに対応する。電圧波形の曲線２０８の下の領域は誘導コイル３００を通る電流の指数関数的減衰に対応する。減衰は回路時定数τＬによって制御される。誘導回路の場合、時定数はインダクタンスを抵抗で割った値（Ｌ／Ｒ）によって与えられる。前述のインダクタンスは誘導コイル３００の可変インダクタンスであり、抵抗は放電抵抗器１４４の抵抗とコイル自体の抵抗との和である（Ｒｃｏｉｌ１２８、図３）。実効インダクタンスを読み取る方法は、曲線２０８の下の領域をＤＣ電圧レベルＶｏｐ中に統合することである。その場合、このＤＣ電圧レベルは燃料制御ユニットが使用するか、または車両中の他の装置に送ることができる。
【０００６】
方形波２０２が誘導コイル３００を励起する。方形波２０２は（図３のＶｐｕｌｓｅとして示される）方形波発振器回路１２０またはマイクロプロセッサ出力ピンによって提供される。トランジスタＱ１１１２は方形波２０２を増幅し、誘導コイル３００を駆動する。抵抗器１１０は充電中に誘導コイル３００を通る電流を制限する。また、抵抗器１１０は、Ｒｃｏｉｌの温度変化を無視することができるようにＲｃｏｉｌ１２８よりもはるかに大きくなるように選択される。これにより、燃料レベルを決定するためにコイルの実効インダクタンスを決定する際にコイルの抵抗を無視することが可能になる。ダイオードＤ１は回路がＶｃｏｉｌ波形の負の部分２０８を分析することを可能にする。正の電圧２０４、２０６ではなく負の電圧２０８が使用されるのは、電気接点か電池電圧への配線ハーネスのショートによりオペアンプ１３４にゼロ出力が生じるからである。抵抗器１４４はダイオード１４０を流れる電流を前述の放電抵抗を提供し、誘導コイル（Ｌｃｏｉｌ／Ｒ１４４）とともに指数関数的減衰に対する時定数を決定する。オペアンプ１３４は、マイクロプロセッサ（図示せず）によって読み取られる燃料レベルに対応するアナログ電圧出力Ｖｏｐを提供するための積分器として作用する。
【０００７】
抵抗器１４６とコンデンサ１４８の組合せでローパスフィルタができる。抵抗器１４６および１３２は積分器入力抵抗である。抵抗器１３８は積分器利得をＲ１３８／（Ｒ１４６＋Ｒ１３２）として設定する。抵抗器１５０は積分器１３４へのオフセット電圧を設定するために使用される。
【０００８】
Ｒｃｏｉｌを測定する方法は、コイルＶｃｏｉｌの両端間の電圧を測定することである。Ｖｃｏｉｌは、図２にＶｃｏｉｌで示されるようなコイル３００を通る指数関数的充電および放電電圧である。Ｖｃｏｉを測定するために、実効インダクタンスを測定するために使用される方形波２０２は一時的に停止され、図３中のＱ１はコイル３００が十分に充電されるまで「オン」のままである。Ｖｐｕｌｓｅ上の８．２ｋＨｚの方形波は停止され、Ｑ１をオンにするためにＶｐｕｌｓｅが５ボルトに設定される。ひとたびコイルが十分に充電されると、コイルの両端間の電圧は、図３に示されるように
【０００９】
【数１】
2004511095.tif 000003
によって与えられる。抵抗器１１０およびＶｃｃが温度とともに変化しない場合、Ｒｃｏｉｌは唯一の温度依存変数となるであろう。抵抗器１１０は、炭素抵抗器では普通のように低温係数をもつ個別抵抗器となるように選択される。ＶｃｃとＶｉｎの間の電圧差はＱ１を流れる電流が低い場合には無視できる。Ｖｃｃは温度とともにいくぶん変化することがあるが、これはＡＣＤもＶｃｃによって電力供給される場合には無視することができる。
【００１０】
図２および図３に見られるように、Ｖｉｎは１１０ａで、マイクロコントローラ１２０によって発生する０ボルトおよびＶｃｃボルトの値を有する８．２ｋＨｚの方形波パルスＶｐｕｌｓｅ２０２によって交互に通電および遮断される。Ｖｐｕｌｓｅがゼロ（Ｑ１がオン）のとき、インダクタ１２６は充電し、Ｖｃｏｉｌは２０４に見られるように指数関数的に減衰する。２０６に見られるように、コイルセンサ３００の（抵抗器１１０によって設定される）充電時定数に応じて、Ｖｃｏｉｌは規定の時間間隔ｔ０後に実質的に一定の値ＶＬまで減衰する。Ｖｐｕｌｓｅが正（Ｑ１がオフ）のとき、図２の２０８に見られるようにコイルを通る電流が指数関数的に減衰するにつれてＶｃｏｉｌは指数関数的に増大する。電流の指数関数的減少は時定数τＬによって制御される。図１３および図１４から、コア４００が誘導コイル３００に出入りする際に、コイルセンサ１００の時定数τＬが変化し、指数関数的減少が変化することが認められよう。したがって、図１３は、コア４００が実質的に誘導コイル３００の外にあるときに充電しているセンサ１００を表し、図１４は、コア４００がより完全に誘導コイル３００によって囲まれているときに充電しているセンサ１００を表す。
【００１１】
センサ１００を駆動する図３の電子回路は、最初に燃料タンク中に設置されたときにセンサを空状態およびフル状態で較正する。空読取りはユニットがタンク中に設置された後で行われる。次いでタンクは反転し、フル読取りが行われる。この較正によりコイルおよびコアの変化による出力信号の変化が減少することになる。また、空状態でタンク底部に静止するように浮上装置を設定することが可能になり、フロートを底部タンクから引き上げるために必要とされる燃料の量によって、測定不能な燃料が決定されることになる。
【００１２】
次に図４、図７、図８および図９を参照すると、千鳥状誘導コイル３００は、その中に画定された空洞３０４を含むボビン３０２を備える。ボビン３０２は成形プラスチックなどの非磁性材料を備える。図１のコア４００は参照番号３０８で示される誘導コイル３００の端部で空洞３０４に入る。ワイヤ３０６は、３１０から開始して誘導コイル３００の対向する端部３０８まで延びるか、または反対に３０８から開始して３１０まで延びる規定のピッチＰｏでボビン３０２の周りに連続的にラッピングまたはスプーリングされる。ボビン３０２の周りのワイヤのそのようなラッピングは、ボビン３０２の第１の部分にわたって延びるワイヤ３０６の少なくとも１つの層が生じるようなものである。分かりやすいように、巻きはワイヤ３０６によるボビン３０２の周りの１回の完全回転であり、コイルの層はボビン３０２の規定の部分に沿って延びるボビン３０２の周りのワイヤ３０６の多数の隣接する巻きに起因して生じることを理解すべきである。ピッチはボビン３０２に沿った単位長さ当たりの巻き数である。誘導コイル３００の第１の部分は、３１０で終端することによってボビン３２０の全長にわたって延びるか、または例えば３１２で終端するボビン３０２の全長未満の部分にわたって延びることができる。ワイヤ３０６の第１の層のラッピングの端部で、ラッピングは継続し、第２の層を生じるラッピングの開始点に戻る。開始点へのラッピングの戻りは、前述の規定のピッチｐｏか、またはｐｏよりも小さいまたは大きい値を有する第２のピッチｐｒとすることができる。例えば、開始点へのラッピングの戻りは急速移動戻りとすることができ、ｐｒはｐｏよりもはるかに小さい。ボビン３０２の周りのワイヤ３０６のラッピングはまださらに点３１２までまたは点３１４まで継続し、それによってワイヤ３０６は前の層未満にまたがる第２の部分にわたってボビン３０２を囲む。ボビン３０２の周りのワイヤ３０６の前述のラッピングは複数の繰り返しの間継続することができ、図７、図８、図９および図１０の千鳥状（スタッガ）誘導コイル３００を生じる。図７および図１０から最もよく理解できるように、３１２、３１４および３１６での誘導コイル３００の周りのワイヤ３０６の後続のラッピングの終端間の角度スパン３１２ａ、３１４ａ、３１６ａは、千鳥状コイルが実質的に切頭円錐のプロファイルをとるように段々小さくなるようにすることができる。
【００１３】
千鳥状巻き誘導コイル３００中の層の角度スパンに応じたワイヤ３０６の層の数を図４の２１２に示す。ボビン３０２の範囲にわたる一定数（例えば１０個）の層が直線巻きコイルについて２１０に示されている。ワイヤ３０６の前述の巻きは、最初に千鳥状のワイヤ巻線を実現する前に規定の一定数の層を巻くことによって達成できることが認められよう。一例として、図４は、千鳥状巻線を実現する前に誘導コイル３００の範囲にわたって最初に巻かれた７つの層を示す。また、ワイヤ３０６の２つまたはそれ以上の一定層を２つの千鳥状層間に実現できることも認められよう。
【００１４】
したがって、千鳥状誘導コイル３００は、コア４００が最初に空洞３０４に入る誘導コイル３００の端部でワイヤ３０６のより多い数の巻きを使用し、誘導コイル３００の長さに沿って動く際にワイヤ３０６の徐々に少なくなる数の巻きを使用し、ボビン３０２（図１０）の周りに巻かれたワイヤ３０６の円錐類似（または切頭円錐類似）構成が生じる。これによりコイルセンサ１００の実効インダクタンスが増大する。コア４００が最初に空洞３０４中に入る点は図１および図７に参照番号３０８で示されている。図１０では、コイルの連続的な層は３０８とそれの共通の少なくとも１つの境界を含むことが分かる。
【００１５】
図１１および図１２は不均一コイル巻線を利用する弧状コイルの表現である。図７および図８には弧状誘導コイル３００が示されているが、本発明の方法および装置は直線誘導コイル３００にも等しく適用可能である。図７および図１１に示される誘導コイル３００の弧は限定としてではなく例示として約１４０度である。
【００１６】
千鳥状コイル対直線コイルについての実効インダクタンスの直線性の改善は実際のテスト結果で分かる。図５は、同じ巻き総数に対する２１４の千鳥状巻きコイルおよび２１６の直線巻きコイルのセンサ回路からの出力電圧Ｖｏｐを示す。
【００１７】
図６は、センサ１００の動作範囲である図５の３０〜１１０回転度のデータ範囲についての千鳥状コイルおよび直線コイル内の出力電圧対コア４００の位置の直線性の改善を示す。図６において、千鳥状コイルについては（例えば最小自乗フィッテイングによる）出力電圧の線形化が２１４ａに見られ、直線の式：
【００１８】
【数２】
2004511095.tif 000004
を生じ、残差はＲ２＝０．９９６３であり、直線コイルについては２１６に見られ、直線の式：
【００１９】
【数３】
2004511095.tif 000005
を生じ、残差はＲ２＝０．９７５７であり、ｙはセンサ１００の出力電圧Ｖｏｐであり、θは誘導コイル３００の空洞３０４内のコア４００の角度位置である。
【００２０】
以上、好ましい実施形態を図示し説明したが、本発明の趣旨および範囲から逸脱することなくそれの様々な修正および代用を行うことができる。したがって、本発明は例示として説明したものにすぎず、本明細書に開示したそのような例示および実施形態は特許請求の範囲を限定するものと解釈すべきではないことを理解すべきである。
【図面の簡単な説明】
【図１】
線形誘導燃料センサの三次元透視図である。
【図２】
方形波駆動パルス電圧Ｖｐｕｌｓｅとコイルセンサの両端間の合成電圧Ｖｃｏｉｌとの相対的タイミングを示す図式表現である。
【図３】
コイルセンサのモデルを含む容器中の燃料レベルを決定するための電気回路の例示的な実施形態の概略図である。
【図４】
直線巻きコイルおよび千鳥状巻きコイル中の弧状コイル内のコアの角度位置に応じた線形誘導燃料センサ中のコイルの層の数の図式表現である。
【図５】
直線巻きコイルおよび千鳥状巻きコイル中の弧状コイル内のコアの角度位置に応じた線形誘導燃料センサの出力電圧の図式表現である。
【図６】
直線巻きコイルおよび千鳥状巻きコイルの図５の線形誘導燃料センサの出力電圧の線形化の図式表現である。
【図７】
千鳥状コイル巻線を利用する弧状コイルの表現である。
【図８】
図７の弧状コイルの断面端面図である。
【図９】
図７の弧状コイルの断面端面図である。
【図１０】
図７の弧状コイルの断面図である。
【図１１】
不均一コイル巻線を利用する弧状コイルの表現である。
【図１２】
不均一コイル巻線を利用する弧状コイルの表現である。
【図１３】
コイルセンサのコアがコイル中に挿入されてないＶｃｏｉｌの指数関数的減衰の図式表現である。
【図１４】
コイルセンサのコアがコイル中に完全に挿入されているＶｃｏｉｌの指数関数的減衰の図式表現である。
【図２】
2004511095.tif 000006
【図３】
2004511095.tif 000007
【図４】
2004511095.tif 000008
【図５】
2004511095.tif 000009
【図６】
2004511095.tif 000010
【図１３】
2004511095.tif 000011
【図１４】
2004511095.tif 000012
【国際公開パンフレット】
2004511095.tif 000013
2004511095.tif 000014
2004511095.tif 000015
2004511095.tif 000016
2004511095.tif 000017
2004511095.tif 000018
2004511095.tif 000019
2004511095.tif 000020
2004511095.tif 000021
2004511095.tif 000022
2004511095.tif 000023
2004511095.tif 000024
2004511095.tif 000025
2004511095.tif 000026
2004511095.tif 000027
2004511095.tif 000028
2004511095.tif 000029
2004511095.tif 000030
2004511095.tif 000031
2004511095.tif 000032
2004511095.tif 000033
【国際調査報告】
2004511095.tif 000034